(57)【要約】      （修正有）【課題】清浄効果を全面的に向上できる複合機能エアコンフィルターを提供する。【解決手段】複合機能エアコンフィルター１０は、静電気コットン又は不織布からなる静電気濾過層３０と、静電気濾過層３０の上に配置され、粒状活性炭又は網状活性炭からなる活性炭中間層４０と、活性炭中間層４０の上に配置され、天然ポリフェノールを含有するポリフェノール抗フリーラジカル層５０とを有し、静電気濾過層３０における活性炭中間層４０に対する面とは反対側の面に配置され、マイナスイオンセラミック粉体及びナノ抗菌粒子を含むマイナスイオン抗菌原料を抗菌層基布に組み合わせてなる、マイナスイオン抗菌層２０を更に有する。【選択図】図１Ｂ
0003219435.tif 000002
【実用新案登録請求の範囲】
【請求項１】
静電気コットン又は不織布からなる静電気濾過層と、
前記静電気濾過層に配置され、粒状活性炭又は網状活性炭からなる活性炭中間層と、
前記活性炭中間層に配置され、天然ポリフェノールを含有するポリフェノール抗フリーラジカル層とを有する、
複合機能エアコンフィルター。
【請求項２】
前記静電気濾過層における前記活性炭中間層に対する面とは反対側の面に配置され、マイナスイオンセラミック粉体及びナノ抗菌粒子を含むマイナスイオン抗菌原料を抗菌層基布に組み合わせてなる、マイナスイオン抗菌層を更に有する、
請求項１に記載の複合機能エアコンフィルター。
【請求項３】
前記ポリフェノール抗フリーラジカル層は、前記天然ポリフェノールを抗フリーラジカル層基布に組み合わせてなる、
請求項１に記載の複合機能エアコンフィルター。
【請求項４】
前記天然ポリフェノールは、マイナスイオンセラミック粉体及びナノ抗菌粒子を含むマイナスイオン抗菌原料を更に混合して前記抗フリーラジカル層基布に組み合わせられる、
請求項３に記載の複合機能エアコンフィルター。
【請求項５】
前記マイナスイオン抗菌原料において、前記マイナスイオンセラミック粉体及び前記ナノ抗菌粒子の含有量が３〜１０ｗｔ％であり、
前記マイナスイオンセラミック粉体は、トルマリン、シリカ（ＳｉＯ２）、アルミナ（Ａｌ２Ｏ３）、酸化カルシウム（ＣａＯ）及び二酸化チタン／酸化クロム／ランタン／セレン（ＴｉＯ２／ＣｒＯ／Ｌａ／Ｓｅ）から選ばれるものであり、
前記ナノ抗菌粒子は、ナノ酸化亜鉛、ナノ銀、第四級アンモニウム塩類、又はそれらの混合物である、
請求項２又は４に記載の複合機能エアコンフィルター。
【請求項６】
前記静電気濾過層はナノ銀３〜１０ｗｔ％を含み、
前記ナノ銀は、ナノ酸化亜鉛、銀イオン又は第四級アンモニウム塩類である、
請求項１に記載の複合機能エアコンフィルター。
【請求項７】
前記粒状活性炭又は前記網状活性炭はヤシ殻炭である、請求項１に記載の複合機能エアコンフィルター。
【請求項８】
前記粒状活性炭は前記静電気濾過層の表面又は繊維構造に組み合わさる、請求項１に記載の複合機能エアコンフィルター。
【請求項９】
前記天然ポリフェノールは緑茶ポリフェノール抽出物、ブドウポリフェノール抽出物又はそれらの混合物である、請求項１に記載の複合機能エアコンフィルター。
【考案の詳細な説明】
【技術分野】
【０００１】
本考案はエアコンフィルター、特に、清浄効果を全面的に向上できる複合機能エアコンフィルターに関する。
【背景技術】
【０００２】
空気の質が日々惡化するにつれ、室内環境での空気汚染の度合いも、人々の想像を遥かに超えている。空気中には、病原体、灰塵、油煙、埃、スモッグ、殺虫剤、花粉、及び有害ガス等の、肉眼では見えない多くの汚染源である粒子が存在する。これらの有害な空気汚染物は、汚染及び臭いだけでなく、フリーラジカルの生成を促進し、人体の健康に莫大な危害をもたらす。
【０００３】
フリーラジカルは１つの不対電子を含む原子団であり、原子が分子を形成する時、化学結合における電子は１対にならなければならないので、フリーラジカルが、他の物質の電子を１つ奪い取って安定な化合物となる。この現象は、化学的には酸化とも呼ばれる。生物体系にはよくあるのは、例えばスーパーオキシドアニオンラジカル、ヒドロキシフリーラジカル、過酸化脂質フリーラジカル、二酸化窒素及び一酸化窒素フリーラジカル等の酸素フリーラジカルである。生物体内における活性酸素フリーラジカルは、例えば免疫作用や信号伝達等の特定機能を有するが、過剰の活性酸素フリーラジカルは、人体の正常な細胞と組織の損壊をもたらし、様々な病気を引き起こす。また、外部環境においての太陽放射、空気汚染、喫煙、農薬等も全て、人体にさらに多くの活性酸素フリーラジカルを生成させ、生物体内の核酸を変異させるなど、これは、人類の老化と病気の根源でもある。例えば、料理時に生成される油煙にフリーラジカル成分が含まれているので、他の人と比べて、頻繁に台所で労働する専業主婦とレストランシェフなどが、肺部の病気及び腫瘍を患う確率が高くなっている。
【０００４】
車の例を挙げると、車内の装備材料がトルエン、ホルムアルデヒド、エタノール、アセトン、ブチルアルコール等の有毒ガスを発散する。エアコンを有する車の場合、埃の除去、殺菌、脱臭、防カビ、更にはアロマ作用を備える空気フィルターを併せて使用することで、車内スペースの空気清浄と芳香環境を得て、ユーザーをより健康と快適にできる。しかし、車内環境で形成された大量のフリーラジカルはユーザーの健康に威脅をもたらし、アロマ又はエッセンシャルオイルを利用したフリーラジカルの除去方法は、一部のユーザーがアロマ又はエッセンシャルオイルに対してアレルギーや不快感などの症状を起こしやすい。
【考案の概要】
【考案が解決しようとする課題】
【０００５】
ゆえに、如何にして既存のエアコンフィルターの欠点を改善してその使用効果を向上させ、また環境中にフリーラジカルが存在するのを有効に防止するかが、実用的な価値を有する技術的課題である。
【０００６】
上記の問題を鑑み、本考案の主な目的は、静電気による濾過、活性炭による高効率脱臭、抗菌成分、マイナスイオンによる浄化、及び天然ポリフェノールの放出等の多重機能を有し、フィルターの効果を大幅に向上させ、フリーラジカルが周りの環境に大量に存在するのを有効に防止することにより、スペース環境内の空気品質の向上、及びユーザーの健康を保護できる複合機能エアコンフィルターを提供することである。また、一般の技術と各機能を有するフィルター材料とを組み合わせると、フィルターの通気性を大幅に低下させる。しかし、本考案は、通気性低下が少ないまま製品を作製し、製品の市場競争力を高めることができる。
【課題を解決するための手段】
【０００７】
上記目的を達成するため、本考案の複合機能エアコンフィルターの構造は、静電気濾過層、活性炭中間層、及びポリフェノール抗フリーラジカル層を順次に配置したものである。その内、静電気濾過層は静電気コットン又は不織布からなり、花粉、粉塵等の汚染物質を濾過するのに用いられる。本考案では、微細浮遊微粒子（ＰＭ２．５）に対してより良い除去効果を有するフィルター材料を使用する。活性炭中間層は、粒状活性炭又は網状活性炭からなり、空気中の有害ガス（トルエン、ブタン、二酸化硫黄、二酸化窒素等）及び臭いを除去できる。本考案では、高吸着効果を有する活性炭を使用し、かつその用量を増加して吸着効果をさらに向上させた。ポリフェノール抗フリーラジカル層は天然ポリフェノールを含有し、スプレー、浸漬又は転写等の方法を利用して天然ポリフェノールを抗フリーラジカル層基布に形成できる。また、天然ポリフェノールは緑茶ポリフェノール抽出物やブドウポリフェノール抽出物、または両者の混合物からなる群から選ばれる。また、複合機能エアコンフィルターは更にマイナスイオン抗菌層を含むことができる。当該マイナスイオン抗菌層は、マイナスイオン抗菌原料を抗菌層基布の製作過程で添加する方法によって抗菌層基布の繊維構造に組み合わせるか、または、マイナスイオン抗菌原料をスプレー、浸染又はプリントの方法で抗菌層基布の表面に覆わせることで形成させるか、または、マイナスイオン抗菌原料と天然ポリフェノールを混合させてからスプレー、浸漬又は転写等の方法を利用して抗フリーラジカル層基布と組み合わせることでポリフェノール抗フリーラジカル層中に分布させる。このマイナスイオン抗菌原料は主にマイナスイオンセラミック粉体及びナノ抗菌粒子を含み、水性ポリウレタンを主成分とするバインダー、有機抗菌着色剤、及び溶剤と混合することで、抗菌、防カビ、マイナスイオンを生成して空気を浄化する効果を提供する。
【考案の効果】
【０００８】
したがって、空気が複合機能エアコンフィルターを通過する時、静電気濾過層によって空気を濾過する以外にも、活性炭中間層で有害ガス及び臭いを除去し、マイナスイオン抗菌層で抗菌、防カビ及び空気を浄化できる。また、ポリフェノール抗フリーラジカル層が天然ポリフェノールを空気に発散させ、周囲環境中のフリーラジカルを有効に除去でき、また抗菌作用を有する。よって、人体に対して抗酸化及び老化を遅らせる効果があり、人体の健康を促進できる。また、ポリフェノール抗フリーラジカル層が、アロマ又はエッセンシャルオイルのように香りや他の強烈な匂いを発することがないため、ユーザーがアレルギーや不快感を引き起こすのを避けられる。
【０００９】
以下、図面を参照しながら、本考案の詳細内容及び技術を説明する。
【図面の簡単な説明】
【００１０】
【図１Ａ】本考案の第１実施例の複合機能エアコンフィルターの外觀を示す概略図。
【図１Ｂ】本考案の第１実施例の複合機能エアコンフィルターの分解図。
【図２】本考案の第１実施例の複合機能エアコンフィルターの局部拡大断面図。
【図３】本考案の複合機能エアコンフィルターのマイナスイオン抗菌層の局部拡大断面図。
【図４】本考案の複合機能エアコンフィルターのポリフェノール抗フリーラジカル層の局部拡大断面図。
【図５】本考案の複合機能エアコンフィルターが車エアコンシステムに応用される概略図。
【図６】本考案の第２実施例の複合機能エアコンフィルターの分解図。
【考案を実施するための形態】
【００１１】
本考案の複合機能エアコンフィルターの技術的特徴を明確にするため、以下、図面を参照しながら、いくつかの実施例によって本考案の技術的特徴を詳細に説明する。
【００１２】
図１Ａ及び図１Ｂは、それぞれ本考案の第１実施例の複合機能エアコンフィルターの外觀を示す概略図及び分解図である。
【００１３】
図１Ａに示すように、本実施例の複合機能エアコンフィルター１０は、波状に曲げられることで、複合機能エアコンフィルター１０と空気との接触面積を増大させて、より多くの空気を濾過できて、濾過の効果を高められる。更に、図１Ｂに示すように、複合機能エアコンフィルター１０は、下から上に順次にマイナスイオン抗菌層２０、静電気濾過層３０、活性炭中間層４０、及びポリフェノール抗フリーラジカル層５０が配置されている。以下、各層の効果及び効果を達成する具体的な手段を詳細に説明する。
【００１４】
図２及び図３は、それぞれ第１実施例の複合機能エアコンフィルター１０及びマイナスイオン抗菌層２０の局部拡大断面図である。マイナスイオン抗菌層２０は、マイナスイオン抗菌原料から形成されたマイナスイオン塗層２１を抗菌層基布２２（不織布等）の繊維構造に、または少なくともその表面の一部に組み合わせてなり、濾過効果以外にも、抗菌、防カビ、脱臭、及びマイナスイオン生成などの主な機能を含む。また、マイナスイオン抗菌原料は主にマイナスイオンセラミック粉体及びナノ抗菌粒子を含む。マイナスイオンセラミック粉体はマイナスイオンを生成する機能を有する。ナノ抗菌粒子はナノ酸化亜鉛、ナノ銀、第四級アンモニウム塩類又はそれらの混合物であり、脱臭、抗菌、防カビ等の機能を有する。各材料の使用量の違いにより、異なる効果を強化できる。例えば、マイナスイオンセラミック粉体の用量を増やすと、マイナスイオンを生成する機能を強化できる。ナノ抗菌粒子の用量を増やすと、抗菌、防カビの効果を強化できる。
【００１５】
本考案の実施例及び図面において、マイナスイオン塗層２１が抗菌層基布２２表面に設けられる例を代表とし、その加工方法としては、不織布からなる抗菌層基布２２の製作が完成した後、その後の加工において、上記のマイナスイオン抗菌原料を３〜１０ｗｔ％混合させ、更に水性ポリウレタンを主成分とするバインダー、有機抗菌着色剤を加えて、水を溶剤として溶液状態となり、スプレーガンによって抗菌層基布２２表面にスプレーする。さらに、熱風循環オーブンで、５０℃程度の温度で乾燥させ、マイナスイオン塗層２１を形成する。他の実行可能な方法としては、上記のスプレー方法以外に、浸染又はプリント等の方法が挙げられる。
【００１６】
上記のマイナスイオンセラミック粉体は、トルマリン、シリカ（ＳｉＯ２）、アルミナ（Ａｌ２Ｏ３）、酸化カルシウム（ＣａＯ）、及び二酸化チタン／酸化クロム／ランタン／セレン（ＴｉＯ２／ＣｒＯ／Ｌａ／Ｓｅ）からなる群から選ばれ、粒度が３２５メッシュ（ｍｅｓｈ）であり、耐熱温度が１２００℃である。また、マイナスイオンセラミック粉体と他の原料を混合する時、均等に分散させること、及び最終有効濃度を注意すべきである。使用可能な塗布の方法としては、浸染又はプリントが挙げられる。より好ましくは、マイナスイオン塗層２１におけるマイナスイオンセラミック粉体数は６５００〜７５００ｅａ／ｃｃ（個数／マイナスイオン塗層１ミリリットルあたり）で、含有量が２〜５ｗｔ％（重量％）である。
【００１７】
また、本考案は更に他の加工方法を利用してマイナスイオン抗菌層２０を製作できる。例えば、抗菌層基布２２の材料（例えば不織布等）の製造過程で、直接３〜１０重量％のナノ抗菌粒子（ナノ酸化亜鉛、銀イオン又は第四級アンモニウム塩）、マイナスイオンセラミック粉体等を混入し、マイナスイオン抗菌原料が抗菌層基布２２の繊維構造に分散して組み合わさることで、抗菌、防カビ、脱臭及びマイナスイオンを生成できるマイナスイオン抗菌層２０を得られる。
【００１８】
静電気濾過層３０は不織布又は静電気コットンからなり、主な機能は濾過及び抗菌、防カビである。静電気コットン又は不織布は、粉塵、花粉等の不純物を濾過して除去するのに用いられる。静電気濾過層３０本体の材質の違い、及び不純物の粒径の違いによっても濾過効果が異なる。本考案では、静電気コットン又は不織布を使用して、より多くの微細な不純物を濾過して除去できると同時により良い通気量を保持できる特性を有する。また７．５ｍ３／ｍｉｎの風量でテスト時に、粒径２〜３μｍの粉塵、花粉等の不純物を８０％以上濾過し、空気中の各汚染物を有効に減少でき、微細浮遊微粒子（ＰＭ２．５）に対してより好ましい除去効果を有する。
【００１９】
本考案において、静電気濾過層３０は、静電気コットン又は不織布の製造過程で３〜１０ｗｔ％のナノ銀、例えば銀イオン、ナノ酸化亜鉛又は第四級アンモニウム塩類を混入し、抗菌、防カビの機能を高めることができる。
【００２０】
続いて、図２は第１実施例の複合機能エアコンフィルター１０の局部拡大断面図である。活性炭中間層４０は、粒状活性炭を網状である静電気濾過層３０の繊維構造に、または少なくとも表面の一部に組み合わせて網状活性炭を形成するか、または、粒状活性炭４１を直接静電気濾過層３０及びポリフェノール抗フリーラジカル層５０の間に設置でき、その主な機能は、ホルムアルデヒド、トルエン等の有害物質を除去することである。本考案の実施例及び図面は、粒状活性炭が静電気濾過層３０の表面に設けられる例を代表とする。その加工方法は、静電気濾過層３０の製作が完成した後、その後の加工において、粒状活性炭を静電気濾過層３０の表面に散布、粘着させる。他の実務上に実行可能な加工方法としては、粒状活性炭を静電気濾過層３０の製造過程で添加する方法により静電気濾過層３０の繊維構造に組み合わせるか、または、粒状活性炭が網状構造に付着してなる網状活性炭を直接静電気濾過層３０の表面に糊付け及び附着させる等の方法が挙げられる。
【００２１】
活性炭は優れた吸着能力を有し、主には活性炭表面の穴を利用し、直径の大きさが穴の直径と一致する不純物、異物を穴の中に吸着する。レベルのより高い活性炭ほど穴の数が多く、即ち吸着能力がより強い。したがって、使用する活性炭のレベルがより高く、または使用数がより多い場合、ホルムアルデヒド、トルエン等の有害物質に対する吸着能力がより強い。実験によると、本考案の活性炭中間層４０として特定のヤシ殻炭を使用し、その炭の含有量が２００ｇ／ｍ２以上に達すると、速やかに空気中のホルムアルデヒド、トルエン等の有害揮発性ガスを大量に濾過して除去できることが示された。
【００２２】
また、図２及び図４は、それぞれ第１実施例の複合機能エアコンフィルター１０及びポリフェノール抗フリーラジカル層５０の局部拡大断面図である。ポリフェノール抗フリーラジカル層５０は活性炭中間層４０の表面に配置される。また、ポリフェノール抗フリーラジカル層５０は、天然ポリフェノール５１を抗フリーラジカル層基布５２に組み合わせてなる。天然ポリフェノールは、緑茶ポリフェノール抽出物、ブドウポリフェノール抽出物又はそれらの混合物からなる群から選ばれる。天然ポリフェノール５１は、原料自体が液態であり、スプレー、浸漬又は転写の方法を利用して、ポリフェノール抗フリーラジカル層５０に組み込むことができる。
【００２３】
上記静電気濾過層３０、活性炭中間層４０、マイナスイオン抗菌層２０、及びポリフェノール抗フリーラジカル層５０を組み合わせると、本考案第１実施例の複合機能エアコンフィルター１０となる。波状に曲げることで、フィルターと空気との接触面積を増大し、より多くの空気を濾過して、濾過効果を高められる。また、複合機能エアコンフィルター１０の組み合わせ工程において、熱圧着又は粘着剤圧着を使用できるが、粘着剤が多いほど風の抵抗が大きくなり、通気量が小さくなるため、熱圧着のみで粘着剤を使用しない場合、より好ましい通気量が得られる。
【００２４】
図６は本考案第２実施例の複合機能エアコンフィルターの分解図である。第１実施例と異なるのは、本実施例の複合機能エアコンフィルター１００は下から上に順次に静電気濾過層１３０、活性炭中間層１４０、及びポリフェノール抗フリーラジカル層１５０が配置される。その内、ポリフェノール抗フリーラジカル層１５０は、天然ポリフェノールとマイナスイオン抗菌原料混合して、抗フリーラジカル層基布に組み合わせるものである。ポリフェノール抗フリーラジカル層１５０に天然ポリフェノールとマイナスイオン抗菌原料が分布され、天然ポリフェノールとマイナスイオンを共に放出できる。
【００２５】
図５は、本考案の複合機能エアコンフィルターが車エアコンシステムに応用される概略図である。図１Ａ及び図１Ｂにも示すように、本実施例は複合機能エアコンフィルター１０を代表として説明する。
【００２６】
複合機能エアコンフィルター１０は、フィルターフレーム８４内にクランプ固定され、車エアコンシステムの送風機８０内に設置される。送風機８０の空気入口８１が車内の熱い空気を吸入し、吸入された空気はファン８２を通って、複合機能エアコンフィルター１０のマイナスイオン抗菌層２０によって殺菌、防カビ、マイナスイオンを放出して、空気浄化作用を発揮する。また、静電気濾過層３０によって灰塵、細菌等の有害物質を濾過して除去する。また、活性炭中間層４０によって脱臭、有害ガスを除去する。それとともに、ポリフェノール抗フリーラジカル層５０によって、エアコンの循環により天然ポリフェノールを徐々に放出して空気中のフリーラジカルを除去し、また抗菌作用を有する。そのため、人体に対して抗酸化及び老化を遅らせる効果がある。最後に、空気出口８３を経て、濾過後のきれいな空気を車内に拡散させ、快適でフレッシュな車内環境を提供する。
【００２７】
本考案の複合機能エアコンフィルターは、車用エアコンシステムに装着するに限らず、他にも家庭用空気清浄機、セントラル空調、真空掃除機、工業用環境浄化システム等の空気浄化設備に幅広く用いられ、住居、医療、工業分野など様々な場所で空気汚染問題を有効に解決できる。
【００２８】
上記をまとめると、本考案の複合機能エアコンフィルターによれば、粉塵、花粉を濾過して除去できるほか、空気中の有害ガス及び臭いを有効に除去でき、黄色ブドウ球菌、大腸菌、肺炎レンサ球菌等の病気になり易い細菌を抑制できる。それとともに、天然ポリフェノールを放出する機能も統合する。天然ポリフェノールは、フリーラジカルを除去する作用以外にも、環境中のフリーラジカルが人体に対する危害を避けられ、抗酸化及びアンチエイジングの目的を達成できる。また、天然ポリフェノールはアロマ又はエッセンシャルオイルのように、香りや他の強烈な匂いを発することがないため、ユーザーがアレルギーや不快感を引き起こすのを避けられる。よって、空気の品質を全面的に向上させ、ユーザーの健康と安全を有効に護り、製品の附加価値を大幅に向上させて経済的効益を生み出すことができる。
【００２９】
上記の好ましい実施例が開示されているが、本考案を限定するものではなく、当業者が本考案の精神と範囲を逸脱しない限り、適宜変更は可能である。したがって、本考案の請求範囲は実用新案登録請求の範囲を基準とする。
【符号の説明】
【００３０】
１０  複合機能エアコンフィルター
２０  マイナスイオン抗菌層
２１  マイナスイオン塗層
２２  抗菌層基布
３０  静電気濾過層
４０  活性炭中間層
５０  ポリフェノール抗フリーラジカル層
５１  天然ポリフェノール
５２  抗フリーラジカル層基布
８０  送風機
８１  空気入口
８２  ファン
８３  空気出口
８４  フィルターフレーム
１００  複合機能エアコンフィルター
１３０  静電気濾過層
１４０  活性炭中間層
１５０  ポリフェノール抗フリーラジカル層
【図１Ａ】
0003219435.tif 000003
【図１Ｂ】
0003219435.tif 000004
【図２】
0003219435.tif 000005
【図３】
0003219435.tif 000006
【図４】
0003219435.tif 000007
【図５】
0003219435.tif 000008
【図６】
0003219435.tif 000009
【手続補正書】
【提出日】平成30年10月19日(2018.10.19)
【手続補正１】
【補正対象書類名】実用新案登録請求の範囲
【補正対象項目名】全文
【補正方法】変更
【補正の内容】
【実用新案登録請求の範囲】
【請求項１】
静電気コットン又は不織布からなる静電気濾過層と、
前記静電気濾過層の上に配置され、粒状活性炭又は網状活性炭からなる活性炭中間層と、
前記活性炭中間層の上に配置され、天然ポリフェノールを含有するポリフェノール抗フリーラジカル層とを有する、
複合機能エアコンフィルター。
【請求項２】
前記静電気濾過層における前記活性炭中間層に対する面とは反対側の面に配置され、マイナスイオンセラミック粉体及びナノ抗菌粒子を含むマイナスイオン抗菌原料を抗菌層基布に組み合わせてなる、マイナスイオン抗菌層を更に有する、
請求項１に記載の複合機能エアコンフィルター。
【請求項３】
前記ポリフェノール抗フリーラジカル層は、前記天然ポリフェノールを抗フリーラジカル層基布に組み合わせてなる、
請求項１に記載の複合機能エアコンフィルター。
【請求項４】
前記天然ポリフェノールは、マイナスイオンセラミック粉体及びナノ抗菌粒子を含むマイナスイオン抗菌原料を更に混合して前記抗フリーラジカル層基布に組み合わせられる、
請求項３に記載の複合機能エアコンフィルター。
【請求項５】
前記マイナスイオン抗菌原料において、前記マイナスイオンセラミック粉体及び前記ナノ抗菌粒子の含有量が３〜１０ｗｔ％であり、
前記マイナスイオンセラミック粉体は、トルマリン、シリカ（ＳｉＯ２）、アルミナ（Ａｌ２Ｏ３）、酸化カルシウム（ＣａＯ）及び二酸化チタン／酸化クロム／ランタン／セレン（ＴｉＯ２／ＣｒＯ／Ｌａ／Ｓｅ）から選ばれるものであり、
前記ナノ抗菌粒子は、ナノ酸化亜鉛、ナノ銀、第四級アンモニウム塩類、又はそれらの混合物である、
請求項２又は４に記載の複合機能エアコンフィルター。
【請求項６】
前記静電気濾過層はナノ銀３〜１０ｗｔ％を含み、
前記ナノ銀は、ナノ酸化亜鉛、銀イオン又は第四級アンモニウム塩類である、
請求項１に記載の複合機能エアコンフィルター。
【請求項７】
前記粒状活性炭又は前記網状活性炭はヤシ殻炭である、請求項１に記載の複合機能エアコンフィルター。
【請求項８】
前記粒状活性炭は前記静電気濾過層の表面又は繊維構造に組み合わさる、請求項１に記載の複合機能エアコンフィルター。
【請求項９】
前記天然ポリフェノールは緑茶ポリフェノール抽出物、ブドウポリフェノール抽出物又はそれらの混合物である、請求項１に記載の複合機能エアコンフィルター。